【手続補正書】
【提出日】平成24年11月20日(2012.11.20)
【手続補正１】
【補正対象書類名】明細書
【補正対象項目名】００１２
【補正方法】変更
【補正の内容】
【００１２】
本発明のデジタルアンプは、信号を増幅するデジタルアンプであって、スイッチング動作を行うことによって当該デジタルアンプに入力された信号を増幅するスイッチング部と、前記スイッチング部をオンオフ駆動する駆動部と、当該デジタルアンプへの入力信号の有無を検出する入力信号検出部と、当該デジタルアンプが無信号入力状態から信号入力状態となり、前記入力信号検出部が当該デジタルアンプへの入力信号を検出すると、前記駆動部の駆動を開始して前記スイッチング部がスイッチング動作を開始するよう制御し、当該デジタルアンプが信号入力状態から無信号入力状態となり、前記入力信号検出部が当該デジタルアンプへの入力信号を検出しないと、前記駆動部の駆動を停止して前記スイッチング部がスイッチング動作を停止するよう制御する第１制御部と、当該デジタルアンプへの入力信号をパルス変調する変調部と、前記スイッチング部の出力信号を前記変調部に帰還する帰還部と、前記入力信号検出部の検出結果に応じて前記帰還部の帰還態様を変更する帰還態様変更部と、を備えた構成を有している。
この構成により、スイッチング動作開始直後における信号の再現性の低下を補償できる。
【手続補正２】
【補正対象書類名】明細書
【補正対象項目名】００１３
【補正方法】変更
【補正の内容】
【００１３】
当該デジタルアンプは、前記帰還部の次数は可変であり、前記帰還態様変更部は、前記入力信号検出部が当該デジタルアンプへの入力信号を検出した直後から所定時間の間、前記帰還部の次数を１次に下げるよう制御する構成を有している。
【手続補正３】
【補正対象書類名】明細書
【補正対象項目名】００１４
【補正方法】変更
【補正の内容】
【００１４】
この構成により、スイッチング動作開始直後における信号の再現性の低下を回避できる。
【手続補正４】
【補正対象書類名】明細書
【補正対象項目名】００１５
【補正方法】変更
【補正の内容】
【００１５】
当該デジタルアンプは、前記変調部は、前記入力信号に対して並列に設けられた複数種類の変調部であって、前記帰還部からの帰還信号に応じて当該デジタルアンプへの入力信号をパルス変調する第１変調部と、前記帰還部からの帰還信号は用いずに当該デジタルアンプへの入力信号をパルス変調する第２変調部と、を含み、前記帰還態様変更部は、前記複数種類の変調部の出力信号の少なくとも一つを前記駆動部に出力する出力切替部と、前記複数種類の変調部の出力信号の少なくとも一つを出力するよう前記出力切替部を制御する第４制御部と、を含み、前記第４制御部は、前記入力信号検出部が当該デジタルアンプへの入力信号を検出した直後から所定時間の間は前記第２変調部の出力信号を出力し、その後前記第１変調部の出力信号を出力するよう前記出力切替部を制御する構成を有している。
【手続補正５】
【補正対象書類名】明細書
【補正対象項目名】００１６
【補正方法】変更
【補正の内容】
【００１６】
この構成により、スイッチング動作開始直後における信号の再現性の低下を補償できる。
【手続補正６】
【補正対象書類名】明細書
【補正対象項目名】００１７
【補正方法】変更
【補正の内容】
【００１７】
当該デジタルアンプは、前記変調部は、前記入力信号に対して並列に設けられた複数種類の変調部であって、前記帰還部からの帰還信号に応じて当該デジタルアンプへの入力信号をパルス変調する高次数の変調部と、前記帰還部からの帰還信号に応じて当該デジタルアンプへの入力信号をパルス変調する低次数の変調部と、を含み、前記帰還態様変更部は、前記複数種類の変調部の出力信号の少なくとも一つを前記駆動部に出力する出力切替部と、前記複数種類の変調部の出力信号の少なくとも一つを出力するよう前記出力切替部を制御する第４制御部と、を含み、前記第４制御部は、前記入力信号検出部が当該デジタルアンプへの入力信号を検出した直後から所定時間の間は前記低次数の変調部の出力信号を出力し、その後前記高次数の変調部の出力信号を出力するよう前記出力切替部を制御する構成を有している。
【手続補正７】
【補正対象書類名】明細書
【補正対象項目名】００１８
【補正方法】変更
【補正の内容】
【００１８】
この構成により、スイッチング動作開始直後における信号の再現性の低下を補償できる。
【手続補正８】
【補正対象書類名】明細書
【補正対象項目名】００１９
【補正方法】変更
【補正の内容】
【００１９】
本発明のデジタルアンプは、信号を増幅するデジタルアンプであって、スイッチング動作を行うことによって当該デジタルアンプに入力された信号を増幅するスイッチング部と、前記スイッチング部をオンオフ駆動する駆動部と、当該デジタルアンプへの入力信号の有無を検出する入力信号検出部と、当該デジタルアンプが無信号入力状態から信号入力状態となり、前記入力信号検出部が当該デジタルアンプへの入力信号を検出すると、前記駆動部の駆動を開始して前記スイッチング部がスイッチング動作を開始するよう制御し、当該デジタルアンプが信号入力状態から無信号入力状態となり、前記入力信号検出部が当該デジタルアンプへの入力信号を検出しないと、前記駆動部の駆動を停止して前記スイッチング部がスイッチング動作を停止するよう制御する第１制御部と、当該デジタルアンプへの入力信号を前記スイッチング動作が開始するまでの所定時間遅らせて前記スイッチング部に伝送する遅延部と、を備え、前記スイッチング部は、前記遅延部を介して送られた当該デジタルアンプへの入力信号を増幅する構成を有している。
この構成により、無信号入力時の消費電力を低減できる。また、この構成により、スイッチング部がスイッチング動作を開始した際に、音欠けが発生しない。
【手続補正９】
【補正対象書類名】明細書
【補正対象項目名】００２０
【補正方法】変更
【補正の内容】
【００２０】
当該デジタルアンプは、前記スイッチング部から出力された増幅信号が当該デジタルアンプから出力される経路を開閉するスイッチ部を備え、前記第１制御部は、当該デジタルアンプが無信号入力状態から信号入力状態となり、前記入力信号検出部が当該デジタルアンプへの入力信号を検出すると、前記経路が閉じるよう前記スイッチ部を制御し、当該デジタルアンプが信号入力状態から無信号入力状態となり、前記入力信号検出部が当該デジタルアンプへの入力信号を検出しないと、前記経路が開くよう前記スイッチ部を制御する構成を有している。
【手続補正１０】
【補正対象書類名】明細書
【補正対象項目名】００２１
【補正方法】変更
【補正の内容】
【００２１】
この構成により、ポップノイズの発生しうる時間には経路が開くようスイッチ部が開閉制御されるため、ポップノイズは出力されない。
【手続補正１１】
【補正対象書類名】明細書
【補正対象項目名】００２２
【補正方法】変更
【補正の内容】
【００２２】
当該デジタルアンプは、前記スイッチング部から出力された増幅信号が当該デジタルアンプから出力される経路を開閉するスイッチ部と、当該デジタルアンプへの入力信号に前記遅延部の出力信号を重畳した論理和信号を出力する論理演算部と、を備え、前記入力信号検出部は、前記論理演算部から出力される前記論理和信号の有無を検出し、前記第１制御部は、当該デジタルアンプが無信号入力状態から信号入力状態となり、前記入力信号検出部が前記論理和信号を検出すると、前記駆動部の駆動を開始して前記スイッチング部がスイッチング動作を開始するよう制御し、かつ、前記経路が閉じるよう前記スイッチ部を制御し、当該デジタルアンプが信号入力状態から無信号入力状態となり、前記入力信号検出部が前記論理和信号を検出しないと、前記駆動部の駆動を停止して前記スイッチング部がスイッチング動作を停止するよう制御し、かつ、前記経路が開くよう前記スイッチ部を制御する構成を有している。
【手続補正１２】
【補正対象書類名】明細書
【補正対象項目名】００２３
【補正方法】変更
【補正の内容】
【００２３】
この構成により、無信号入力状態になったときでも、デジタルアンプへの入力信号が無くなってから少なくとも遅延時間が経過するまではスイッチ部は開状態にはならないため、音切れは生じない。
【手続補正１３】
【補正対象書類名】明細書
【補正対象項目名】００２４
【補正方法】変更
【補正の内容】
【００２４】
当該デジタルアンプは、前記第１制御部の制御に応じて前記経路が閉じるタイミングは、前記遅延部による信号の遅延時間以内であって、前記第１制御部の制御に応じて前記スイッチング部がスイッチング動作を開始するタイミングよりも後であり、前記第１制御部の制御に応じて前記経路が開くタイミングは、前記第１制御部の制御に応じて前記スイッチング部がスイッチング動作を停止するタイミングよりも前である構成を有していることが望ましい。
【手続補正１４】
【補正対象書類名】明細書
【補正対象項目名】００２５
【補正方法】変更
【補正の内容】
【００２５】
当該デジタルアンプは、前記スイッチング動作は、前記スイッチング部が有する直列接続された２つのスイッチング素子を交互にオンオフする動作であって、当該デジタルアンプは、前記スイッチング部がスイッチング動作を行う際に前記２つのスイッチング素子の両方がオフ状態となるように前記駆動部を制御するデッドタイム制御部と、前記デッドタイム制御部による前記２つのスイッチング素子の両方がオフ状態になる時間を設定するデッドタイム設定部と、を備え、当該デジタルアンプが無信号入力状態から信号入力状態となり、前記入力信号検出部が当該デジタルアンプへの入力信号を検出すると、前記デッドタイム設定部が、所定時間の間は通常よりも長い、前記２つのスイッチング素子の両方がオフ状態になる時間を設定する構成を有している。
【手続補正１５】
【補正対象書類名】明細書
【補正対象項目名】００２６
【補正方法】変更
【補正の内容】
【００２６】
この構成により、スイッチング部がスイッチング動作を行う際に発生するポップノイズを低減できる。
【手続補正１６】
【補正対象書類名】明細書
【補正対象項目名】００２７
【補正方法】変更
【補正の内容】
【００２７】
また、本発明のデジタルアンプは、信号を増幅するデジタルアンプであって、スイッチング動作を行うことによって当該デジタルアンプに入力された信号を増幅するスイッチング部と、前記スイッチング部をオンオフ駆動する駆動部と、当該デジタルアンプへの入力信号の有無を検出する入力信号検出部と、当該デジタルアンプが無信号入力状態から信号入力状態となり、前記入力信号検出部が当該デジタルアンプへの入力信号を検出すると、前記駆動部の駆動を開始して前記スイッチング部がスイッチング動作を開始するよう制御し、当該デジタルアンプが信号入力状態から無信号入力状態となり、前記入力信号検出部が当該デジタルアンプへの入力信号を検出しないと、前記駆動部の駆動を停止して前記スイッチング部がスイッチング動作を停止するよう制御する第１制御部と、当該デジタルアンプへの入力信号を補正する入力信号補正部と、第２制御部と、を備え、前記第２制御部は、前記入力信号検出部が当該デジタルアンプへの入力信号を検出した直後から所定時間の間は、前記スイッチング動作が開始される際に発生するポップノイズと同振幅かつ逆位相の信号を当該デジタルアンプへの入力信号に印加するよう前記入力信号補正部を制御する構成を有している。
この構成により、スイッチング部がスイッチング動作を行う際に発生するポップノイズを低減できる。
【手続補正１７】
【補正対象書類名】特許請求の範囲
【補正対象項目名】全文
【補正方法】変更
【補正の内容】
【特許請求の範囲】
【請求項１】
信号を増幅するデジタルアンプであって、
スイッチング動作を行うことによって当該デジタルアンプに入力された信号を増幅するスイッチング部と、
前記スイッチング部をオンオフ駆動する駆動部と、
当該デジタルアンプへの入力信号の有無を検出する入力信号検出部と、
当該デジタルアンプが無信号入力状態から信号入力状態となり、前記入力信号検出部が当該デジタルアンプへの入力信号を検出すると、前記駆動部の駆動を開始して前記スイッチング部がスイッチング動作を開始するよう制御し、当該デジタルアンプが信号入力状態から無信号入力状態となり、前記入力信号検出部が当該デジタルアンプへの入力信号を検出しないと、前記駆動部の駆動を停止して前記スイッチング部がスイッチング動作を停止するよう制御する第１制御部と、
当該デジタルアンプへの入力信号をパルス変調する変調部と、
前記スイッチング部の出力信号を前記変調部に帰還する帰還部と、
前記入力信号検出部の検出結果に応じて前記帰還部の帰還態様を変更する帰還態様変更部と、
を備えたことを特徴とするデジタルアンプ。
【請求項２】
請求項１に記載のデジタルアンプであって、
前記帰還部の次数は可変であり、
前記帰還態様変更部は、前記入力信号検出部が当該デジタルアンプへの入力信号を検出した直後から所定時間の間、前記帰還部の次数を１次に下げるよう制御することを特徴とするデジタルアンプ。
【請求項３】
請求項１に記載のデジタルアンプであって、
前記変調部は、前記入力信号に対して並列に設けられた複数種類の変調部であって、前記帰還部からの帰還信号に応じて当該デジタルアンプへの入力信号をパルス変調する第１変調部と、前記帰還部からの帰還信号は用いずに当該デジタルアンプへの入力信号をパルス変調する第２変調部と、を含み、
前記帰還態様変更部は、前記複数種類の変調部の出力信号の少なくとも一つを前記駆動部に出力する出力切替部と、前記複数種類の変調部の出力信号の少なくとも一つを出力するよう前記出力切替部を制御する第４制御部と、を含み、
前記第４制御部は、前記入力信号検出部が当該デジタルアンプへの入力信号を検出した直後から所定時間の間は前記第２変調部の出力信号を出力し、その後前記第１変調部の出力信号を出力するよう前記出力切替部を制御することを特徴とするデジタルアンプ。
【請求項４】
請求項１に記載のデジタルアンプであって、
前記変調部は、前記入力信号に対して並列に設けられた複数種類の変調部であって、前記帰還部からの帰還信号に応じて当該デジタルアンプへの入力信号をパルス変調する高次数の変調部と、前記帰還部からの帰還信号に応じて当該デジタルアンプへの入力信号をパルス変調する低次数の変調部と、を含み、
前記帰還態様変更部は、前記複数種類の変調部の出力信号の少なくとも一つを前記駆動部に出力する出力切替部と、前記複数種類の変調部の出力信号の少なくとも一つを出力するよう前記出力切替部を制御する第４制御部と、を含み、
前記第４制御部は、前記入力信号検出部が当該デジタルアンプへの入力信号を検出した直後から所定時間の間は前記低次数の変調部の出力信号を出力し、その後前記高次数の変調部の出力信号を出力するよう前記出力切替部を制御することを特徴とするデジタルアンプ。
【請求項５】
信号を増幅するデジタルアンプであって、
スイッチング動作を行うことによって当該デジタルアンプに入力された信号を増幅するスイッチング部と、
前記スイッチング部をオンオフ駆動する駆動部と、
当該デジタルアンプへの入力信号の有無を検出する入力信号検出部と、
当該デジタルアンプが無信号入力状態から信号入力状態となり、前記入力信号検出部が当該デジタルアンプへの入力信号を検出すると、前記駆動部の駆動を開始して前記スイッチング部がスイッチング動作を開始するよう制御し、当該デジタルアンプが信号入力状態から無信号入力状態となり、前記入力信号検出部が当該デジタルアンプへの入力信号を検出しないと、前記駆動部の駆動を停止して前記スイッチング部がスイッチング動作を停止するよう制御する第１制御部と、
当該デジタルアンプへの入力信号を前記スイッチング動作が開始するまでの所定時間遅らせて前記スイッチング部に伝送する遅延部と、を備え、
前記スイッチング部は、前記遅延部を介して送られた当該デジタルアンプへの入力信号を増幅することを特徴とするデジタルアンプ。
【請求項６】
請求項５に記載のデジタルアンプであって、
前記スイッチング部から出力された増幅信号が当該デジタルアンプから出力される経路を開閉するスイッチ部を備え、
前記第１制御部は、
当該デジタルアンプが無信号入力状態から信号入力状態となり、前記入力信号検出部が当該デジタルアンプへの入力信号を検出すると、前記経路が閉じるよう前記スイッチ部を制御し、
当該デジタルアンプが信号入力状態から無信号入力状態となり、前記入力信号検出部が当該デジタルアンプへの入力信号を検出しないと、前記経路が開くよう前記スイッチ部を制御することを特徴とするデジタルアンプ。
【請求項７】
請求項５に記載のデジタルアンプであって、
前記スイッチング部から出力された増幅信号が当該デジタルアンプから出力される経路を開閉するスイッチ部と、
当該デジタルアンプへの入力信号に前記遅延部の出力信号を重畳した論理和信号を出力する論理演算部と、を備え、
前記入力信号検出部は、前記論理演算部から出力される前記論理和信号の有無を検出し、
前記第１制御部は、
当該デジタルアンプが無信号入力状態から信号入力状態となり、前記入力信号検出部が前記論理和信号を検出すると、前記駆動部の駆動を開始して前記スイッチング部がスイッチング動作を開始するよう制御し、かつ、前記経路が閉じるよう前記スイッチ部を制御し、
当該デジタルアンプが信号入力状態から無信号入力状態となり、前記入力信号検出部が前記論理和信号を検出しないと、前記駆動部の駆動を停止して前記スイッチング部がスイッチング動作を停止するよう制御し、かつ、前記経路が開くよう前記スイッチ部を制御することを特徴とするデジタルアンプ。
【請求項８】
請求項６又は７に記載のデジタルアンプであって、
前記第１制御部の制御に応じて前記経路が閉じるタイミングは、前記遅延部による信号の遅延時間以内であって、前記第１制御部の制御に応じて前記スイッチング部がスイッチング動作を開始するタイミングよりも後であり、
前記第１制御部の制御に応じて前記経路が開くタイミングは、前記第１制御部の制御に応じて前記スイッチング部がスイッチング動作を停止するタイミングよりも前であることを特徴とするデジタルアンプ。
【請求項９】
請求項５に記載のデジタルアンプであって、
前記スイッチング動作は、前記スイッチング部が有する直列接続された２つのスイッチング素子を交互にオンオフする動作であって、
当該デジタルアンプは、前記スイッチング部がスイッチング動作を行う際に前記２つのスイッチング素子の両方がオフ状態となるように前記駆動部を制御するデッドタイム制御部と、
前記デッドタイム制御部による前記２つのスイッチング素子の両方がオフ状態になる時間を設定するデッドタイム設定部と、を備え、
当該デジタルアンプが無信号入力状態から信号入力状態となり、前記入力信号検出部が当該デジタルアンプへの入力信号を検出すると、前記デッドタイム設定部が、所定時間の間は通常よりも長い、前記２つのスイッチング素子の両方がオフ状態になる時間を設定することを特徴とするデジタルアンプ。
【請求項１０】
信号を増幅するデジタルアンプであって、
スイッチング動作を行うことによって当該デジタルアンプに入力された信号を増幅するスイッチング部と、
前記スイッチング部をオンオフ駆動する駆動部と、
当該デジタルアンプへの入力信号の有無を検出する入力信号検出部と、
当該デジタルアンプが無信号入力状態から信号入力状態となり、前記入力信号検出部が当該デジタルアンプへの入力信号を検出すると、前記駆動部の駆動を開始して前記スイッチング部がスイッチング動作を開始するよう制御し、当該デジタルアンプが信号入力状態から無信号入力状態となり、前記入力信号検出部が当該デジタルアンプへの入力信号を検出しないと、前記駆動部の駆動を停止して前記スイッチング部がスイッチング動作を停止するよう制御する第１制御部と、
当該デジタルアンプへの入力信号を補正する入力信号補正部と、
第２制御部と、を備え、
前記第２制御部は、前記入力信号検出部が当該デジタルアンプへの入力信号を検出した直後から所定時間の間は、前記スイッチング動作が開始される際に発生するポップノイズと同振幅かつ逆位相の信号を当該デジタルアンプへの入力信号に印加するよう前記入力信号補正部を制御することを特徴とするデジタルアンプ。